(57)【特許請求の範囲】
【請求項１】
用紙搬送路内の各個所における異常の発生を検出し、異常が発生した個所を表示手段に表示する画像形成装置の異常表示装置において、
各個所における用紙の搬送枚数及び異常の発生回数である異常の発生状況を履歴情報として記憶する記憶手段と、
前記記憶手段に記憶された異常の発生回数と、記憶手段に記憶された用紙の搬送枚数及び異常の発生回数に基づいて算出した異常の発生率と、に応じて表示手段における異常が発生した個所を示すマークの表示状態を変化させる制御手段と、を設け、
前記制御手段は、前記各個所の何れかにおける異常の発生を検出した時に、画像形成装置の略図上における異常が発生した個所に、その個所における異常の発生回数に応じて異なるマークを表示するとともに、異常が発生した個所における用紙の搬送枚数が所定枚数以上であり、かつ、その個所における異常の発生率が限界値を超える場合にマークを点滅表示することを特徴とする画像形成装置の異常表示装置。
【請求項２】
前記制御手段は、異常が発生した個所を示すマークを点滅させるとともに、異常が発生した個所について記憶手段が記憶している用紙の搬送枚数及び異常の発生回数に応じてマークの点滅周期パターンを変化させることを特徴とする請求項１に記載の画像形成装置の異常表示装置。
【請求項３】
前記制御手段は、異常が発生した個所について記憶手段が記憶している異常の発生回数に応じてマークの形状を変化させることを特徴とする請求項１又は２に記載の画像形成装置の異常表示装置。
【発明の詳細な説明】
【０００１】
【発明の属する技術分野】
この発明は、複写機などの画像形成装置に関し、特に、用紙を搬送する用紙搬送路内の各個所における異常の発生を表示する画像形成装置の異常表示装置に関する。
【０００２】
【従来の技術】
従来、複写機などの画像形成装置として、用紙搬送路でジャムなどの異常が発生した場合、異常発生個所を操作パネルにおけるディスプレイ等の表示手段に表示するようにしたものがある。
【０００３】
例えば、特開平８−２４５０６２号公報には、用紙搬送路内でジャムが発生した場合、実行中の記録動作と用紙の搬送動作を停止させ、ジャムの発生及び発生個所を表示させる構成が開示されている。
【０００４】
また、特開平４−１７９６５４号公報には、各ジャムポイントにおけるジャム発生頻度を数値で表示し、それに基づいて装置の異常発生の有無を判別する構成が開示されている。
【０００５】
このように搬送中における異常の発生の表示は、用紙のみならず、原稿等の画像形成装置において搬送される紙葉類の全てが対象となる。
【０００６】
【発明が解決しようとする課題】
ところで、複写機の部品交換や調整などのメンテナンスを適正なタイミングで行うためには、ジャム発生個所毎の発生頻度やジャムのトータル発生回数などの異常の発生状態の履歴情報を把握しておく必要がある。
【０００７】
しかし、上記従来例においては、ジャムの発生個所やジャム発生頻度が表示されるだけであり、ジャム発生履歴に応じて表示状態が変わるものではない。したって、実際にメンテナンスを行うためには、サービスマンがシミュレーションモードなどで動作状況を確認したり、外部端末からジャム情報を取得しなければならず、的確な点検タイミングを失することが多い。
【０００８】
この発明の目的は、的確なタイミングでメンテナンスを行うために役立つ画像形成装置の異常表示装置を提供することにある。
【０００９】
【課題を解決するための手段】
この発明は、上記の課題を解決するための手段として、以下の構成を備えている。
【００１０】
(1) 用紙搬送路内の各個所における異常の発生を検出し、異常が発生した個所を表示手段に表示する画像形成装置の異常表示装置において、
各個所における用紙の搬送枚数及び異常の発生回数である異常の発生状況を履歴情報として記憶する記憶手段と、
前記記憶手段に記憶された異常の発生回数と、記憶手段に記憶された用紙の搬送枚数及び異常の発生回数に基づいて算出した異常の発生率と、に応じて表示手段における異常が発生した個所を示すマークの表示状態を変化させる制御手段と、を設け、
前記制御手段は、前記各個所の何れかにおける異常の発生を検出した時に、画像形成装置の略図上における異常が発生した個所に、その個所における異常の発生回数に応じて異なるマークを表示するとともに、異常が発生した個所における用紙の搬送枚数が所定枚数以上であり、かつ、その個所における異常の発生率が限界値を超える場合にマークを点滅表示することを特徴とする。
【００１１】
この構成においては、用紙搬送路内の何れかの個所に異常が発生すると、各個所における異常の発生状況に応じて異なる表示状態で異常が発生した個所が表示手段に表示される。したがって、表示手段における表示内容に基づいて、異常が発生した個所が特定されるだけでなく、その個所における異常の発生状況が認識される。
【００１４】
(2) 前記制御手段は、異常が発生した個所を示すマークを点滅させるとともに、異常が発生した個所について記憶手段が記憶している用紙の搬送枚数及び異常の発生回数に応じてマークの点滅周期パターンを変化させることを特徴とする。
【００１５】
この構成においては、異常が発生した個所を表すマークがその個所における異常の発生に関する履歴情報に応じた周期パターンで表示手段に点滅表示される。したがって、表示手段に表示されたマークによって異常が発生した個所が特定されるとともに、マークが点滅する周期パターンからその個所における異常の発生に関する履歴情報が認識される。
【００１６】
(3) 前記制御手段は、異常が発生した個所について記憶手段が記憶している異常の発生回数に応じてマークの形状を変化させることを特徴とする。
【００１７】
この構成においては、異常が発生した個所を表すマークがその個所における異常の発生に関する履歴情報に応じた形状で表示手段に表示される。したがって、表示手段に表示されたマークによって異常が発生した個所が特定されるとともに、表示されたマークの形状によってその個所における異常の発生に関する履歴情報が認識される。
【００１８】
【発明の実施の形態】
図１は、この発明の実施形態に係る画像形成装置の異常表示装置のブロック構成図である。画像形成装置としての複写機１は、各部の動作を制御する制御部２と、所定の情報を記憶する記憶部３と、入力操作を受け付けるための操作部４と、各部の動作状態に応じて画面に表示を行う表示部５と、原稿台にセットされた原稿の画像を読み取る画像読取部６と、所定部位に給紙された用紙に画像を形成する画像形成部７と、画像読取部６や画像形成部７が備える光学系駆動用のモータやメインモータなどの駆動制御、さらには帯電チャージャや転写チャージャなどへの電力供給制御などの各部の動作を制御する駆動制御部８と、所定部位の動作状態を検出する状態検出部９と、を備えている。
【００１９】
制御部２は、この発明の制御手段に相当し、用紙搬送路でのジャムの発生時にジャムの発生個所を示し、かつジャムを発生した個所のジャム発生に関する履歴情報（ジャム発生履歴情報）に応じて異なるマークＭ（図６）を点滅させる。
【００２０】
記憶部３は、この発明の記憶部に相当し、各部を統括して制御するとともに、後述するように、ジャム発生履歴情報を記憶する記憶領域が設けられている。操作部４には、複写動作を開始する際に操作する複写開始スイッチ、及び、複写枚数などの入力操作を受け付けるテンキーなどが配備されている。また、異常状態検出部９は、用紙搬送路における用紙ジャムの発生を検出するジャムセンサ９ａ，９ｂ，９ｃを有している。これらジャムセンサ９ａ，９ｂ，９ｃは、後述するように、用紙搬送路中の所定の個所に配置されている。
【００２１】
図２は、上記複写機１の概略断面図である。感光体ドラム１０の周囲には、感光体ドラム１０の表面を所定の電位に帯電させる帯電チャージャ１１、感光体ドラム１０の表面に形成された静電潜像をトナー像に顕像化する現像装置１２、顕像化したトナー像を用紙に転写する転写チャージャ１３、トナー像が転写された用紙を感光体ドラム１０から剥離する剥離チャージャ１４及び剥離爪１５、感光体ドラム１０の表面の未転写トナーを除去するクリーナ１６、並びに、感光体ドラム１０の表面を除電する除電ランプ１７がこの順で配置されている。
【００２２】
また、感光体ドラム１０の上方には、原稿台２０上に載置された原稿の画像を読み取る光学系ユニット１９が配置されている。光学系ユニット１９は、光源１９ａからの光によって原稿を露光走査し、原稿の画像面における反射光を感光体ドラム１０の表面に配光し、感光体ドラム１０の表面に原稿画像に基づく静電潜像を形成する。
【００２３】
また、感光体ドラム１０の右方には、用紙をセットする手差しトレイ２０ａや用紙カセット２０ｂが配置された給紙部２０が設けられている。さらに、感光体ドラム１０の左方には、画像が転写形成された用紙が排紙される排紙トレイ２１が設けられている。複写機１の本体内には、給紙部２０から給紙された用紙を感光体ドラム１０の回転に同期したタイミングで感光体ドラム１０と転写チャージャ１３との間に導くＰＳローラ２０ｃ、及び、転写後の用紙を定着ローラ２３側に搬送する搬送部２２が配設されている。
【００２４】
ＰＳローラ２０ｃにおける用紙搬送方向の上流側（手前）には、第１のジャムセンサ９ａが配置され、剥離チャージャ１４における用紙搬送方向の下流側（後方）には、第２のジャムセンサ９ｂが配置されており、また、定着ローラ２３の用紙搬送方向の下流側には、第３のジャムセンサ９ｃが配置されている。
【００２５】
これらジャムセンサ９ａ〜９ｃは、例えば、リミットスイッチからなり、３個所での用紙通過状況を検出する。つまり、第１のジャムセンサ９ａにより、用紙搬送経路における給紙部２０付近のジャム発生を検出し、第２のジャムセンサ９ｂにより、転写位置付近のジャム発生を検出し、第３のジャムセンサ９ｃにより、定着ローラ付近のジャム発生を検出するようになっている。勿論、これらジャムセンサ９ａ〜９ｃは、光学的センサなどで代用できる。
【００２６】
図３は、上記複写機の記憶部における記憶エリアの構成を示すメモリマップである。記憶部３内には、給紙部付近、転写位置付近及び排紙部付近の３個所のそれぞれにおけるジャムなどの異常発生の履歴情報の記憶用として、トータル枚数記憶エリアＭａ１，Ｍｂ１，Ｍｃ１、ジャム回数記憶エリアＭａ２，Ｍｂ２，Ｍｃ２、ジャム発生時刻記憶エリアＭａ３，Ｍｂ３，Ｍｃ３及び発生枚数記憶エリアＭａ４，Ｍｂ４，Ｍｃ４が、ジャム複写枚数記憶エリアＭｄ１とともに割り当てられている。
【００２７】
トータル枚数記憶エリアＭａ１，Ｍｂ１，Ｍｃ１は、給送された用紙の枚数を計数する領域であり、用紙が送られてくる毎に計数値がインクリメントされる。なお、給紙部付近でジャムが発生すると、給紙部トータル枚数記憶エリアＭａ１の計数値はインクリメントされるが、転写位置トータル枚数記憶エリアＭｂ１及び排紙部トータル枚数記憶エリアＭｃ１の計数値はインクリメントされない。
【００２８】
ジャム回数記憶エリアＭａ２，Ｍｂ２，Ｍｃ２は、対応する個所で発生したジャムの回数を計数する領域であり、ジャムが発生する毎に計数値がインクリメントされる。したがって、ジャム回数記憶エリアＭａ２，Ｍｂ２，Ｍｃ２の計数値Ｃ２をトータル枚数記憶エリアＭａ１，Ｍｂ１，Ｍｃ１の計数値Ｃ１で除算することにより、その個所におけるジャム発生率を算出できる（ジャム発生率＝計数値Ｃ２／計数値Ｃ１）。
【００２９】
しかも、トータル枚数記憶エリアＭａ１，Ｍｂ１，Ｍｃ１の計数値は、異常検出個所より上流側でジャムが発生して用紙が送られてこないと、インクリメントされないので、正確にジャム発生率を算出可能である。
【００３０】
発生時刻記憶エリアＭａ３，Ｍｂ３，Ｍｃ３は、ジャムが発生した時刻を記憶する領域であり、対応する個所でジャムが発生すると、その時の時刻が記憶される。なお、この発生時刻記憶エリアＭａ３，Ｍｂ３，Ｍｃ３には、今回のジャム発生時刻だけでなく、前回の発生時刻を記憶する領域も設けられており、前回のジャム発生から今回のジャム発生までの経過時間を知ることができる。
【００３１】
発生枚数記憶エリアＭａ４，Ｍｂ４，Ｍｃ４は、対応する個所でのジャム発生時までに送られてきた用紙の枚数を記憶する領域であり、ジャムの発生時に、トータル枚数記憶エリアＭａ１，Ｍｂ１，Ｍｃ１の計数値を加算的に記憶する。したがって、発生枚数記憶エリアＭａ４，Ｍｂ４，Ｍｃ４には、今回のジャム発生時のトータル枚数だけでなく、前回のジャム発生から今回のジャム発生までに、その個所を通過した用紙の枚数が記憶される。
【００３２】
なお、トータル枚数記憶エリアＭａ１，Ｍｂ１，Ｍｃ１、ジャム回数記憶エリアＭａ２，Ｍｂ２，Ｍｃ２、発生時刻記憶エリアＭａ３，Ｍｂ３，Ｍｃ３及び発生枚数記憶エリアＭａ４，Ｍｂ４，Ｍｃ４の記憶内容は、（１）複写機全体のメンテナンスの完了時、（２）複写枚数が予め設定した枚数になった時、（３）予め設定した枚数もしくは予め設定された時間連続してジャムが発生しなかった時、などの適当なタイミングでクリアされる。
【００３３】
さらに、前記記憶部３は、排紙トレイ２１に排紙された用紙枚数、すなわち、ジャムが発生することなく複写処理が行われた用紙の枚数をカウントする複写枚数記憶領域が設けられている。
【００３４】
図４は、上記複写機の制御部におけるジャム発生時の処理手順を示すフローチャートである。複写処理の実行指示があると（１０１）、複写処理を（実行）開始する（１０２）。複写処理の実行指示は、操作部４に設けられた複写キーの操作によって行われる。
【００３５】
給紙部付近、転写位置付近および排紙部（転写ローラ）付近の３つの個所にそれぞれ対応しているジャムセンサ９ａ、９ｂ，９ｃにより、ジャムが発生したか否かを判断し（１０３）、ジャムが発生していない場合には判断を複写が完了まで続行する（１０４）。
【００３６】
複写が完了すると、記憶部３の複写枚数記憶エリアＭｄ１における複写枚数の件数値をインクリメントする（１０５）。さらに、給紙部付近、転写位置付近および排紙部付近の各個所についてのジャム発生履歴情報の更新処理を行う（１０６）。ここでは、各個所のトータル枚数記憶エリアＭａ１，Ｍｂ１，Ｍｃ１の計数値をインクリメントするとともに、ジャム発生率を算出した後に１１２に進む。
【００３７】
一方、上記複写処理において、ジャムが発生すると、ジャムの発生位置が前記給紙部付近、転写位置付近、排紙部付近のうちのいずれかであるかを判断する（１０７、１０８）。
【００３８】
ジャムセンサ９ａにより給紙部２０から給紙された用紙の通過が検出されなければ、給紙部付近でジャムが発生したものと判定し、また、ジャムセンサ９ａが用紙の通過を検出した後、所定時間以内にジャムセンサ９ｂが用紙の通過を検出しなければ、転写位置付近でジャムが発生したものと判定する。さらに、ジャムセンサ９ｂが用紙の通過を検出した後、所定時間以内にジャムセンサ９ｃが用紙の通過を検出しなければ、定着ローラ付近でジャムが発生したとものと判定する。
【００３９】
先ず、ジャムの発生個所が給紙部付近であれば、以下に示すジャム発生履歴情報の更新処理を実行する（１０９）。この処理では、給紙部トータル枚数記憶エリアＭａ１の計数値をインクリメントするとともに、給紙部ジャム回数記憶エリアＭａ２の計数値をインクリメントする。また、給紙部ジャム発生時刻記憶エリアＭａ３に現在の時刻を記憶するとともに、給紙部ジャム発生枚数記憶エリアＭａ４に給紙部トータル枚数記憶エリアＭａ１の計数値を格納する。
【００４０】
なお、給紙部ジャム回数記憶エリアＭａ２及び給紙部ジャム発生枚数記憶エリアＭａ４には、前回のジャム発生時の時刻を記憶およびトータル枚数を記憶する前回情報記憶領域が設けられている。上記の処理中には、今回のジャムが発生する前まで給紙部ジャム発生時刻記憶エリアＭａ３及び給紙部ジャム発生枚数記憶エリアＭａ４に記憶されていた発生時刻およびトータル枚数がそれぞれの前回情報記憶領域に格納される。なお、転写部置付近及び排紙部付近については、上記更新処理を行わない。
【００４１】
また、ジャムの発生個所が転写位置付近であれば、以下に示すジャム発生履歴情報の更新処理を実行する（１１０）。この処理では、転写位置付近のジャム発生履歴情報について、上記ステップ１０９で説明した更新処理と同様の更新を行う。具体的には、転写位置トータル枚数記憶エリアＭｂ１の計数値をインクリメントするとともに、転写位置ジャム回数記憶エリアＭｂ２の計数値をインクリメントする。また、転写位置ジャム発生時刻記憶エリアＭｂ３に現在の時刻を記憶するとともに、転写位置ジャム発生枚数記憶エリアＭｂ４に転写位置トータル枚数記憶エリアＭｂ１の計数値を格納した後にジャム発生率を算出する。
【００４２】
さらに、ジャムの発生個所が排紙部付近であれば、以下に示すジャム発生履歴情報の更新処理を実行する（１１１）。この処理でも、排紙部付近のジャム発生履歴情報について、上記１０９で説明した更新処理と同様の更新を行う。具体的には、排紙部トータル枚数記憶エリアＭｃ１の計数値をインクリメントするとともに、排紙部ジャム回数記憶エリアＭｃ２の計数値をインクリメントする。また、排紙部ジャム発生時刻記憶エリアＭｃ３に現在の時刻を記憶するとともに、排紙部ジャム発生枚数記憶エリアＭｃ４に排紙部ジャムトータル枚数記憶エリアＭｃ１の計数値を格納し、ジャム発生率を算出する。
【００４３】
このように、ジャムの発生の有無及び発生個所に応じて、上記１０６、１０９、１１０、１１１のいずれかのジャム発生履歴情報の更新処理が実行される。
【００４４】
上記１０６〜１１１の処理が完了すると、表示部５にジャムの発生を画面に表示する処理を行い（１１２）、１０１に戻る。１１２における表示処理については後述する。なお、この複写機１では、１０３でジャムの発生を検出すると直ちに複写処理を停止する。
【００４５】
履歴情報更新処理（１０６）が終わると、複写枚数記憶エリアＭｄ１の計数値が所定の枚数（例えば１０００枚）に達しているか否かの判断（１１３）、ジャムが所定期間（例えば１０日間）以上発生していないか否かの判断（１１４）、及び、ジャムが所定枚数（例えば２００枚）以上発生していないか否かの判断（１１５）を行う。この判断に必要な情報については、上述したように、記憶部３に記憶されている。
【００４６】
複写枚数記憶エリアＭｄ１の計数値が所定の枚数に達しているとき、ジャムが所定期間以上発生していないとき、又は、ジャムが所定枚数以上発生していないときには記憶部３に記憶されているジャム発生履歴情報をクリアした後（１１６）、それ以外の場合はクリア処理を実行することなく、１０１に戻る。
【００４７】
１１６におけるクリア処理は、トータル枚数記憶エリアＭａ１，Ｍｂ１，Ｍｃ１、ジャム回数記憶エリアＭａ２，Ｍｂ２，Ｍｃ２、ジャム発生時刻記憶エリアＭａ３，Ｍｂ３，Ｍｃ３、ジャム発生枚数記憶エリアＭａ４，Ｍｂ４，Ｍｃ４及び複写枚数記憶エリアＭｄ１の記憶内容をクリアする処理である。
【００４８】
このように、ジャム発生履歴情報を適当なタイミングでクリアするようにしたので、ジャム発生率の算出などに、古い履歴が利用されることがなく、常に適正な履歴を用いてジャム発生率などを求めることができる。
【００４９】
なお、複写枚数記憶エリアＭｄ１の計数値は、メンテナンス作業の実行タイミングを判断するために用いられ、通常はメンテナンス作業が完了した後に図示しないリセットスイッチの操作によってリセットされる。この複写枚数記憶エリアＭｄ１のリセット時にも、他のジャム発生履歴情報がクリアされる。
【００５０】
このように、メンテナンス作業の完了時におけるリセットスイッチの操作に連動してジャム発生履歴情報がクリアされるため、部品交換などのメンテナンス作業が行われた後、ジャム発生率の算出のためにメンテナンス作業前のジャム発生履歴情報が使われることはない。
【００５１】
図５は、図４に示した画面表示処理における処理手順を示すフローチャートである。ジャムが発生した個所についてのジャム発生履歴情報を用いて、この個所でジャムが所定回数以上（例えば、３０回以上）発生しているか否かを判断する（２０１）。ジャムが所定回数以上発生している場合、メンテナンス作業を行うのが妥当であるから、表示部５における表示マークを「！」に決定する（２０２）。ジャムが所定回数以上発生していない（所定枚数未満）場合、表示マークを「▼」に決定する（２０２）。
【００５２】
ついで、トータル枚数記憶エリアＭａ１，Ｍｂ１，Ｍｃ１のカウント値が所定枚数以上（例えば、１００枚以上）であるか否かを判断する（２０２）。統計的にサンプル数（処理枚数）の少ない状況では、適正なジャム発生率を算出することができないと考えられるので、所定枚数未満であれば、上記２０２又は２０３で決定されたマークを点滅させない（２０５）。
【００５３】
所定枚数以上であれば、ジャム発生率が限界値（例えば１０％）を越えているか否かを判断する（２０６）。ジャム発生率が限界値を越えていれば、上記２０２又は２０３で決定されたマークを点滅させる（２０７）。ジャム発生率が限界値を越えていなければ、マークを点滅させない（２０５）。
【００５４】
さらに、表示部５に、ジャムが発生した旨を表示するとともに、表示画面上のジャム発生個所に対応する位置に、上記２０２又は２０３で決定されたマークを、上記２０５又は２０７で決定された点滅の有無に基づいて表示する（２０８）。
【００５５】
図６（Ａ）〜（Ｂ）は、表示部５におけるジャム発生時の画面表示例を示すものである。また、図７は、ジャム発生時の表示条件とマーク（ジャムマーク）表示状態との対応関係を示す表である。図６及び図７において、表示部５の画面には、ジャムの発生した個所に対応して、マークＭ（Ｍ１〜Ｍ３）が表示されるようになっている。
【００５６】
給紙部付近でジャムが発生した場合には、図６（Ａ）に示すような表示画面となり、転写位置付近でジャムが発生した場合には、図６（Ｂ）に示すような表示画面となる。また、定着ローラ付近でジャムが発生した場合には、図６（Ｃ）に示すような表示画面となる。各画面では、ジャム発生履歴情報に基づいて決定されたマークが、ジャム発生履歴情報に基づいて決定された点滅の有無に応じて表示される。
【００５７】
したがって、オペレータは、用紙搬送経路の詰まった用紙を取り除くために、ジャムの発生個所を確認した際に、その個所の状況（ジャムが発生し易くなっているのかどうかなど）を認識することができる。これにより、オペレータは、劣化している部品の交換などの他に、再調整などのメンテナンスを適正なタイミングで行うことができ、ジャムなどの異常発生に伴う用紙の浪費が回避され、ランニングコストの上昇を抑えることができる。
【００５８】
なお、上記実施形態では、ジャムに発生個所をマークを点滅させて報知する例で説明したが、ジャム発生履歴情報に応じて上記マークの点滅周期を変えるようにすれば視認判別性が上がる。さらに、上表示画面全体の状態を変化させるように構成することも可能である。
【００５９】
また、上記実施形態では、異常発生として、用紙の搬送経路中でのジャムの発生を表示部５の画面に表示させる構成であったが、ジャム以外にトラブル、たとえば、自動原稿送り装置における原稿のジャムなどを表示させる場合にも、適用することができる。
【００６０】
【発明の効果】
この発明によれば、以下の効果を奏することができる。
【００６１】
(1) 用紙搬送路内の何れかの個所に異常が発生した際に、各個所における異常の発生状況に応じて異なる表示状態で異常が発生した個所を表示手段に表示することにより、表示手段における表示内容に基づいて、異常が発生した個所を特定できるとともに、その個所における異常の発生状況を認識することができる。これによって、メンテナンス作業の要否を容易に認識することができ、メンテナンス作業を適正なタイミングで実行することができるようになり、ジャムの発生頻度を低減してランニングコストの低廉化を実現することができる。
【００６３】
(2) 異常が発生した個所を表すマークをその個所における異常の発生に関する履歴情報に応じた周期パターンで表示手段に点滅表示することにより、表示手段に表示されたマークによって異常が発生した個所を特定できると同時に、マークの点滅状態によってその個所における異常の発生に関する履歴情報を素早く認識することができる。
【００６４】
(3) 異常が発生した個所を表すマークをその個所における異常の発生に関する履歴情報に応じた形状で表示手段に表示することにより、表示手段に表示されたマークによって異常が発生した個所を特定できると同時に、表示されたマークの形状によってその個所における異常の発生に関する履歴情報を素早く認識することができる。
【図面の簡単な説明】
【図１】この発明の実施形態に係る異常表示装置が適用された複写機のブロック構成図である。
【図２】上記複写機の概略断面図である。
【図３】上記複写機の記憶部において、ジャム発生履歴情報の記憶領域の説明図である。
【図４】上記複写機の動作を示すフローチャートである。
【図５】図４の画面表示処理のサブルーチンを示すフローチャートである。
【図６】上記複写機の表示部における表示例の説明図図である。
【図７】異常表示条件とマーク表示状態との対応関係を示す表である。
【符号の説明】
１−画像形成装置
２−制御部
３−記憶部
５−表示部
５ａ−ディスプレイ
９（９ａ，９ｂ，９ｃ）−ジャムセンサ
Ｍ（Ｍ１，Ｎ２，Ｍ３）−マーク
【図１】
0004038325.tif 000002
【図２】
0004038325.tif 000003
【図３】
0004038325.tif 000004
【図４】
0004038325.tif 000005
【図５】
0004038325.tif 000006
【図６】
0004038325.tif 000007
【図７】
0004038325.tif 000008